(57)【要約】      （修正有）【課題】利用者が時間、場所を問わずに呼吸の訓練を行うことができ、音楽の特性を利用して呼吸の質を高める呼吸訓練システムを提供する。【解決手段】通信ネットワーク４を介してユーザ端末２とサーバ装置３とが通信可能に接続され、ユーザ端末を使用するユーザが呼吸を訓練する呼吸訓練システムであって、サーバ装置からユーザ端末に送信される呼吸訓練データに基づいてユーザが呼吸訓練を行う。【選択図】図１
2019181150.tif 000002
【特許請求の範囲】
【請求項１】
通信ネットワークを介してユーザ端末とサーバ装置とが通信可能に接続され、前記ユーザ端末を使用するユーザが呼吸を訓練する呼吸訓練システムであって、以下の構成としたことを特徴とする呼吸訓練システム。
前記サーバ装置は、以下の構成を備える。
（１）以下の構成を備える呼吸訓練データ
（ａ）音楽データ
（ｂ）前記音楽データのｎ小節に含まれている音のリズムについてのシンボルデータであって、文字、図形、記号、色彩から一又は複数の組み合わせで構成されるシンボルデータ
（ｃ）前記音楽データの再生に伴い、前記音楽データのｎ小節に含まれている音のリズムに沿って前記シンボルデータの表示が変化する。
（２）前記呼吸訓練データを、前記通信ネットワークを介して前記ユーザ端末に送信する送信手段
【請求項２】
以下の構成をさらに備える請求項１記載の呼吸訓練システム。
（１）以下の構成をさらに備える呼吸訓練データ
（ｄ）前記音楽データの再生に合わせながら呼吸方法をガイドする呼吸方法ガイドメッセージ
【請求項３】
音楽データと、前記音楽データのｎ小節に含まれている音のリズムについてのシンボルデータであって、文字、図形、記号、色彩から一又は複数の組み合わせで構成されるシンボルデータと、を備える呼吸訓練データを取得するデータ取得手段と、
前記音楽データを再生する音楽データ再生手段と、
前記シンボルデータを表示するシンボルデータ表示出力手段と、
前記音楽データの再生に伴い、前記音楽データのｎ小節に含まれている音のリズムに沿って前記シンボルデータの表示を変化させるシンボルデータ表示制御手段
としてコンピュータを機能させる呼吸訓練プログラム。
【請求項４】
請求項３の呼吸訓練プログラムが記録されているコンピュータ読み取り可能な記録媒体。
【発明の詳細な説明】
【技術分野】
【０００１】
本発明は、呼吸訓練システム、呼吸訓練プログラム及び記録媒体に関する。
【背景技術】
【０００２】
従来、呼吸の訓練に関する機器、システムは種々知られている。例えば特許文献１には、使用者が次の動作を開始するタイミングを容易に推測できるように報知を行う呼吸訓練器が提案されている。  
特許文献２には、利用者が容易に持ち運び可能であって、場所が限定されることなく、利用者に一定の呼吸リズムに従った呼吸を行わせる携帯式呼吸誘導装置が提案されている。
【先行技術文献】
【特許文献】
【０００３】
【特許文献１】特開２００７−１９０２７６号公報
【特許文献２】特開２０１３−１２８６５９号公報
【発明の概要】
【発明が解決しようとする課題】
【０００４】
テクノロジーの進化による生活の電化、自動化そしてＩＴ化は、我々の生活空間を格段に便利で自由な空間に変え、環境の変化は我々の生活から運動や労務を大幅に軽減している。しかし、これらの変化によって人間が自然に行っていた深い呼吸を浅い呼吸へと変えていることも事実である。浅い呼吸、すなわち呼吸の質の低下は心身のバランスの乱れ、鬱やストレス、不定愁訴原因、生活習慣病の蔓延の遠因ともいわれている。そこで、呼吸の質を高める呼吸訓練システムの提案が望まれている。
【０００５】
この発明は、利用者が時間、場所を問わずに呼吸の訓練を行うことができ、音楽の特性を利用して呼吸の質を高める呼吸訓練システム、呼吸訓練プログラム及び記録媒体を提供することを目的とする。
【課題を解決するための手段】
【０００６】
請求項１の発明は、
通信ネットワークを介してユーザ端末とサーバ装置とが通信可能に接続され、前記ユーザ端末を使用するユーザが呼吸を訓練する呼吸訓練システムであって、以下の構成としたことを特徴とする呼吸訓練システムである。  
前記サーバ装置は、以下の構成を備える。  
（１）以下の構成を備える呼吸訓練データ
（ａ）音楽データ
（ｂ）前記音楽データのｎ小節に含まれている音のリズムについてのシンボルデータであって、文字、図形、記号、色彩から一又は複数の組み合わせで構成されるシンボルデータ
（ｃ）前記音楽データの再生に伴い、前記音楽データのｎ小節に含まれている音のリズムに沿って前記シンボルデータの表示が変化する。  
（２）前記呼吸訓練データを、前記通信ネットワークを介して前記ユーザ端末に送信する送信手段
【０００７】
請求項３の発明は、
音楽データと、前記音楽データのｎ小節に含まれている音のリズムについてのシンボルデータであって、文字、図形、記号、色彩から一又は複数の組み合わせで構成されるシンボルデータと、を備える呼吸訓練データを取得するデータ取得手段と、
前記音楽データを再生する音楽データ再生手段と、
前記シンボルデータを表示するシンボルデータ表示出力手段と、
前記音楽データの再生に伴い、前記音楽データのｎ小節に含まれている音のリズムに沿って前記シンボルデータの表示を変化させるシンボルデータ表示制御手段
としてコンピュータを機能させる呼吸訓練プログラムである。
【０００８】
請求項４の発明は、
請求項３の呼吸訓練プログラムが記録されているコンピュータ読み取り可能な記録媒体である。
【発明の効果】
【０００９】
この発明によれば、利用者が時間、場所を問わずに呼吸の訓練を行うことができ、音楽の特性を利用して呼吸の質を高める呼吸訓練システム、呼吸訓練プログラム及び記録媒体を提供することができる。
【図面の簡単な説明】
【００１０】
【図１】本発明の構成の一例を表す図である。
【図２】本発明が備える呼吸訓練データの第一の形態を表す図である。
【図３】再生される音楽に合わせて息を吐く場合において、（ａ）〜（ｅ）は再生される音楽に伴って第１小節目のシンボルデータの表示が変化する一例を表す図である。
【図４】図３に続き、（ａ）〜（ｅ）は再生される音楽に伴って第２小節目のシンボルデータの表示が変化する一例を表す図である。
【図５】図４に続き、（ａ）〜（ｅ）は再生される音楽に伴って第３小節目のシンボルデータの表示が変化する一例を表す図である。
【図６】図５に続き、（ａ）〜（ｅ）は再生される音楽に伴って第４小節目のシンボルデータの表示が変化する一例を表す図である。
【図７】再生される音楽に合わせて息を吸う場合において、図６に続き、（ａ）〜（ｅ）は再生される音楽に伴って第１小節目のシンボルデータの表示が変化する一例を表す図である。
【図８】図７に続き、（ａ）〜（ｅ）は再生される音楽に伴って第２小節目のシンボルデータの表示が変化する一例を表す図である。
【図９】図２図示の呼吸訓練データに呼吸方法ガイドメッセージが関連付けられている一例を表す図である。
【図１０】図２図示の呼吸訓練データに呼吸方法ガイドメッセージが関連付けられている他の例を表す図である。
【図１１】本発明が備える呼吸訓練データの第二の形態を表す図である。
【図１２】再生される音楽に合わせて呼吸する場合であって、（ａ）〜（ｄ）は再生される音楽に伴ってシンボルデータの表示が変化する一例を表す図である。
【図１３】本発明が備える呼吸訓練データの第三の形態の一例を表す図である。
【図１４】再生される音楽に合わせて息を吸う場合において、（ａ）〜（ｅ）は再生される音楽に伴って第１小節目のシンボルデータの表示が変化する一例を表す図である。
【図１５】再生される音楽に合わせて息を吐く場合において、図１４に続き、（ａ）〜（ｅ）は再生される音楽に伴って第２小節目のシンボルデータの表示が変化する一例を表す図である。
【図１６】本発明が備える呼吸訓練データの第四の形態の一例を表す図である。
【図１７】再生される音楽に合わせて息を吸う場合において、（ａ）〜（ｅ）は再生される音楽に伴って第１小節目のシンボルデータの表示が変化する一例を表す図である。
【図１８】再生される音楽に合わせて息を吐く場合において、図１７に続き、（ａ）〜（ｅ）は再生される音楽に伴って第２小節目のシンボルデータの表示が変化する一例を表す図である。
【図１９】本発明が備える呼吸訓練データの第五の形態を表す図である。
【図２０】再生される音楽に合わせて息を吐く場合において、（ａ）〜（ｇ）は再生される音楽に伴って第１小節目のシンボルデータの表示が変化する一例を表す図である。
【図２１】再生される音楽に合わせて息を吸う場合において、（ａ）〜（ｅ）は再生される音楽に伴って第１小節目のシンボルデータの表示が変化する一例を表す図である。
【発明を実施するための形態】
【００１１】
以下、添付図面を参照して、本発明の実施形態の一例を説明する。
【００１２】
本実施形態の呼吸訓練システム１は、図１に示すように、インターネット通信網、無線通信規格で定められている無線通信網等の通信ネットワーク４を介してユーザ端末２とサーバ装置３とが通信可能に接続されて構成されるシステムである。
【００１３】
ユーザ端末２は、本実施形態の呼吸訓練システム１を利用して呼吸の訓練を行う者（以下、「ユーザ」という）が使用するパーソナルコンピュータ、タブレット端末、スマートフォン、等の情報通信端末である。図示では省略しているが、本実施形態の呼吸訓練システム１を利用して呼吸の訓練を行う複数のユーザそれぞれにユーザ端末２が使用されるか、あるいは、複数のユーザに対して１乃至複数のユーザ端末２が使用される。また、ユーザ端末２は、前記情報通信端末に限らず、従来公知のオーディオプレーヤー等の音楽再生装置を含めることができる。
【００１４】
サーバ装置３は、後述する呼吸訓練データをユーザ端末２に送信する機能を有し、本実施形態の呼吸訓練システム１による呼吸訓練サービスを提供する事業者が通信ネットワーク４上に設置する装置である。
【００１５】
コンピュータからなるユーザ端末２、サーバ装置３は図示していないが、いずれもオペレーティングシステムや、インストールあるいはダウンロードした所定のコンピュータプログラムなどに従って、この実施形態のシステムの各種の機能が実現されるように制御を行うＣＰＵ、オペレーティングシステムや種々のコンピュータプログラムなどを記憶し、また、ＣＰＵが各制御のための処理を実行する上で必要なデータを記憶する記憶部としてのＲＯＭ、ＣＰＵが処理を実行する上で必要なデータを記憶し、ＣＰＵによって情報が適宜書き換えられるワークエリアとしても利用されるＲＡＭやハードディスク、更に、ユーザインターフェース、無線通信インターフェースなどを備えていて、これらが必要なバスラインで接続されている構成になっている。
【００１６】
サーバ装置３は図１に示すように、情報送受信手段５、記憶手段６を備えている。
【００１７】
情報送受信手段５は、ユーザ端末２と情報の送受信を行う。
【００１８】
記憶手段６は、データベースサーバ等の物理的なハードウェアで構成することができ、前記事業者によって作成された呼吸訓練データを記憶している。
【００１９】
呼吸訓練データは、以下の構成を備えている。  
（ａ）音楽データ
（ｂ）前記音楽データのｎ小節に含まれている音のリズムについてのシンボルデータであって、文字、図形、記号、色彩から一又は複数の組み合わせで構成されるシンボルデータ
（ｃ）前記音楽データの再生に伴い、前記音楽データのｎ小節に含まれている音のリズムに沿って前記シンボルデータの表示が変化する。
【００２０】
本実施形態では、サーバ装置３が以下のような呼吸訓練データをユーザ端末２に送信し、ユーザ端末２に出力される当該呼吸訓練データを使用して前記ユーザは呼吸の訓練を行う。
【００２１】
［呼吸訓練データの第一の形態］
図２〜図１０を参照して呼吸訓練データの第一の形態を説明する。第一の形態の呼吸訓練データ７Ａは一例として一定のリズムを有する音楽データのうち、４小節の音のリズムに沿って息を吐き、２小節の音のリズムに沿って息を吸う訓練に使用される。
【００２２】
サーバ装置３から呼吸訓練データ７Ａがユーザ端末２に送信されると、図２に示すようなシンボルデータ８Ａ、８Ｂが、ユーザ端末２が備えるディスプレイに表示される。
【００２３】
シンボルデータ８Ａは、一定のリズムを有する前記音楽データの１小節に含まれている４拍子の音のリズムを表す数字が表示された長方形の図形が４つ組み合わされて構成されており、図２の上段に示すように、４小節分のシンボルデータ８Ａがユーザ端末２に表示される。このシンボルデータ８Ａは、息を吐く場合に使用される呼気シンボルデータである。
【００２４】
シンボルデータ８Ｂもシンボルデータ８Ａと同様に、一定のリズムを有する前記音楽データの１小節に含まれている４拍子の音のリズムを表す数字が表示された長方形の図形が４つ組み合わされて構成されており、図２の下段に示すように、２小節分のシンボルデータ８Ｂがユーザ端末２に表示される。このシンボルデータ８Ｂは、息を吸う場合に使用される吸気シンボルデータである。
【００２５】
ユーザ端末２において、呼吸訓練データ７Ａに含まれる音楽データを再生すると、当該音楽データの１小節に含まれている音のリズムに沿ってシンボルデータ８Ａ、８Ｂの表示が以下のように変化する。
【００２６】
（１）図３に示すように、４小節分のシンボルデータ８Ａのうち、１小節目のシンボルデータ８Ａにおいて、４拍子の音のリズムを表す数字が表示された長方形の図形の色が変化する。  
（２）図３（ｅ）に続いて、図４に示すように、２小節目のシンボルデータ８Ａにおいて、４拍子の音のリズムを表す数字が表示された長方形の図形の色が変化する。  
（３）図４（ｅ）に続いて、図５に示すように、３小節目のシンボルデータ８Ａにおいて、４拍子の音のリズムを表す数字が表示された長方形の図形の色が変化する。  
（４）図５（ｅ）に続いて、図６に示すように、４小節目のシンボルデータ８Ａにおいて、４拍子の音のリズムを表す数字が表示された長方形の図形の色が変化する。  
前記ユーザは、これらシンボルデータ８Ａの表示の変化を目で確認しながら息を吐く。
【００２７】
（５）図６（ｅ）に続いて、図７に示すように、２小節分のシンボルデータ８Ｂのうち、１小節目（全体では５小節目）のシンボルデータ８Ｂにおいて、４拍子の音のリズムを表す数字が表示された長方形の図形の色が変化する。  
（６）図７（ｅ）に続いて、図８に示すように、２小節目（全体では６小節目）のシンボルデータ８Ｂにおいて、４拍子の音のリズムを表す数字が表示された長方形の図形の色が変化する。  
前記ユーザは、これらシンボルデータ８Ｂの表示の変化を目で確認しながら息を吸う。
【００２８】
図８（ｅ）から図３（ｂ）に戻り、上記（１）〜（６）が繰り返される。前記ユーザは繰り返されるシンボルデータ８Ａ、８Ｂの表示の変化を目で確認しながら、呼吸の訓練を行う。
【００２９】
シンボルデータ８Ａ、８Ｂの表示の変化については、上記の他、４拍子の音のリズムを表す数字が表示された長方形の図形の大きさが変化する、あるいは形状が別の形状に変化する、等の種々の態様を採用することができる。
【００３０】
また、図９、図１０に示すように、前記音楽データの再生に合わせながら呼吸方法をガイドする呼吸方法ガイドメッセージ９を呼吸訓練データ７Ａが備える構成にすることもできる。これにより前記ユーザは呼吸方法の確認をすることができる。
【００３１】
［呼吸訓練データの第二の形態］
図１１〜図１２を参照して呼吸訓練データの第二の形態を説明する。第二の形態の呼吸訓練データ７Ｂは一例として一定のリズムを有する音楽データの４小節の音のリズムに沿って呼吸を行い、呼気又は吸気の時間の長さの計測に使用される。
【００３２】
サーバ装置３から呼吸訓練データ７Ｂがユーザ端末２に送信されると、図１１に示すようなシンボルデータ８Ｃが、ユーザ端末２が備えるディスプレイに表示される。
【００３３】
シンボルデータ８Ｃは、一定のリズムを有する前記音楽データの１小節に含まれている４拍子の音のリズムを表す円形の図形が４つ組み合わされて構成されており、図１１に示すように、４小節分のシンボルデータ８Ｃがユーザ端末２に表示される。シンボルデータ８Ｃは、息を吸う場合に使用される吸気シンボルデータ又は息を吐く場合に使用される呼気シンボルデータである。
【００３４】
また、シンボルデータ８Ｃが表す前記１小節の時間を一例として２秒としており、図１１に示す形態では８秒分のシンボルデータ８Ｃがユーザ端末２に表示される。
【００３５】
ユーザ端末２において、呼吸訓練データ７Ｂに含まれる音楽データを再生すると、当該音楽データの１小節に含まれている音のリズムに沿ってシンボルデータ８Ｃの表示が以下のように変化する。
【００３６】
（１）図１２（ａ）に示すように、１小節目を表す上側のシンボルデータ８Ｃにおいて、４拍子の音のリズムを表す円形の図形の色が２秒間変化する。  
（２）続いて、図１２（ｂ）に示すように、２小節目を表す右側のシンボルデータ８Ｃにおいて、４拍子の音のリズムを表す円形の図形の色が２秒間変化する。  
（３）続いて、図１２（ｃ）に示すように、３小節目を表す下側のシンボルデータ８Ｃにおいて、４拍子の音のリズムを表す円形の図形の色が２秒間変化する。  
（４）続いて、図１２（ｄ）に示すように、４小節目を表す左側のシンボルデータ８Ｃにおいて、４拍子の音のリズムを表す円形の図形の色が２秒間変化する。  
前記ユーザは、これらシンボルデータ８Ｃの表示の変化を目で確認しながら呼吸する。
【００３７】
図１２（ｄ）から図１２（ａ）に戻り、上記（１）〜（４）が繰り返される。前記ユーザは繰り返されるシンボルデータ８Ｃの表示の変化を目で確認しながら、呼気又は吸気の時間の長さを計測する。
【００３８】
シンボルデータ８Ｃの表示の変化については、上述したように、４拍子の音のリズムを表す円形の図形の大きさが変化する、あるいは形状が別の形状に変化する等の種々の態様を採用することができる。
【００３９】
また、上述したように、前記音楽データの再生に合わせながら呼吸方法をガイドする呼吸方法ガイドメッセージ９を呼吸訓練データ７Ｂが備える構成にすることもできる。
【００４０】
［呼吸訓練データの第三の形態］
図１３〜図１５を参照して呼吸訓練データの第三の形態を説明する。第三の形態の呼吸訓練データ７Ｃは一例として一定のリズムと、歌詞１０とを有する音楽データ（例えば童謡など）の複数の小節の音のリズムに沿って呼吸を行う訓練に使用される。
【００４１】
サーバ装置３から呼吸訓練データ７Ｃがユーザ端末２に送信されると、図１３に示すようなシンボルデータ８Ｄ、８Ｅが、ユーザ端末２が備えるディスプレイに表示される。
【００４２】
シンボルデータ８Ｄは、一定のリズムを有する前記音楽データの１小節に含まれている４拍子の音のリズムを表す円形の図形が４つ組み合わされて構成されており、図１３に示すように、４小節分のシンボルデータ８Ｄがユーザ端末２に表示される。このシンボルデータ８Ｄは、息を吸う場合に使用される吸気シンボルデータであり、４つのシンボルデータ８Ｄはそれぞれ、１小節目、６小節目、１１小節目、１６小節目に配置される。
【００４３】
シンボルデータ８Ｅは、一定のリズムを有する前記音楽データの１小節に含まれている４拍子の音のリズムを表す数字が表示された円形の図形が４つと、各小節の４拍子の音のリズムに対応する歌詞１０とが組み合わされて構成されており、図１３に示すように、１６小節分のシンボルデータ８Ｅがユーザ端末２に表示される。このシンボルデータ８Ｅは、息を吐く場合に使用される呼気シンボルデータであり、１６個のシンボルデータ８Ｅはそれぞれ、２〜５小節目、７〜１０小節目、１２〜１５小節目、１７〜２０小節目に配置される。
【００４４】
ユーザ端末２において、呼吸訓練データ７Ｃに含まれる音楽データを再生すると、当該音楽データの１小節に含まれている音のリズムに沿ってシンボルデータ８Ｄ、８Ｅの表示が以下のように変化する。
【００４５】
（１）図１４に示すように、４小節分のシンボルデータ８Ｄのうち、１小節目のシンボルデータ８Ｄにおいて、４拍子の音のリズムを表す数字が表示された円形の図形の色が変化する。  
前記ユーザは、これらシンボルデータ８Ｄの表示の変化を目で確認しながら息を吸う。
【００４６】
（２）図１４（ｅ）に続いて、図１５に示すように、２小節目のシンボルデータ８Ｅにおいて、４拍子の音のリズムを表す数字が表示された円形の図形の色が変化する。３〜５小節目の各シンボルデータ８Ｅも同様に４拍子の音のリズムを表す数字が表示された円形の図形の色が変化する。  
前記ユーザは、これらシンボルデータ８Ｅの表示の変化を目で確認しながら歌詞１０に沿って歌う。
【００４７】
（３）５〜２０小節目においても上記（１）、（２）が繰り返される。前記ユーザは繰り返されるシンボルデータ８Ｄ、８Ｅの表示の変化を目で確認しながら、呼吸の訓練を行う。
【００４８】
シンボルデータ８Ｄ、８Ｅの表示の変化については、上述したように、４拍子の音のリズムを表す円形の図形の大きさが変化する、あるいは形状が別の形状に変化する等の種々の態様を採用することができる。
【００４９】
また、上述したように、前記音楽データの再生に合わせながら呼吸方法をガイドする呼吸方法ガイドメッセージ９を呼吸訓練データ７Ｃが備える構成にすることもできる。
【００５０】
［呼吸訓練データの第四の形態］
図１６〜図１８を参照して呼吸訓練データの第四の形態を説明する。第四の形態の呼吸訓練データ７Ｄは一例として一定のリズムと、俳句を構成する上五１１ａ、中七１１ｂ、下五１１ｃとを有する音楽データの複数の小節の音のリズムに沿って呼吸を行う訓練に使用される。
【００５１】
サーバ装置３から呼吸訓練データ７Ｄがユーザ端末２に送信されると、図１６に示すようなシンボルデータ８Ｆ、８Ｇが、ユーザ端末２が備えるディスプレイに表示される。
【００５２】
シンボルデータ８Ｆは、一定のリズムを有する前記音楽データの１小節に含まれている４拍子の音のリズムを表す円形の図形が４つ組み合わされて構成されており、図１６に示すように、１小節分のシンボルデータ８Ｆがユーザ端末２に表示される。このシンボルデータ８Ｆは、息を吸う場合に使用される吸気シンボルデータである。
【００５３】
シンボルデータ８Ｇは、一定のリズムを有する前記音楽データの１小節に含まれている４拍子の音のリズムを表す数字が表示された円形の図形が４つと、各小節の４拍子の音のリズムに対応する上五１１ａ、中七１１ｂ、下五１１ｃとが組み合わされて構成されており、図１６に示すように、３小節分のシンボルデータ８Ｇがユーザ端末２に表示される。このシンボルデータ８Ｇは、息を吐く場合に使用される呼気シンボルデータであり、３個のシンボルデータ８Ｇはそれぞれ、２〜４小節目に配置される。
【００５４】
ユーザ端末２において、呼吸訓練データ７Ｄに含まれる音楽データを再生すると、当該音楽データの１小節に含まれている音のリズムに沿ってシンボルデータ８Ｆ、８Ｇの表示が以下のように変化する。
【００５５】
（１）図１７に示すように、１小節目のシンボルデータ８Ｆにおいて、４拍子の音のリズムを表す数字が表示された円形の図形の色が変化する。  
前記ユーザは、これらシンボルデータ８Ｆの表示の変化を目で確認しながら息を吸う。
【００５６】
（２）図１７（ｅ）に続いて、図１８に示すように、２小節目のシンボルデータ８Ｇにおいて、４拍子の音のリズムを表す数字が表示された円形の図形の色が変化する。３、４小節目の各シンボルデータ８Ｇも同様に４拍子の音のリズムを表す数字が表示された円形の図形の色が変化する。  
前記ユーザは、これらシンボルデータ８Ｇの表示の変化を目で確認しながら上五１１ａ、中七１１ｂ、下五１１ｃに沿って俳句を、途中で息つくこと無く一息で詠む。
【００５７】
（３）上記（１）、（２）が繰り返され、前記ユーザは繰り返されるシンボルデータ８Ｆ、８Ｇの表示の変化を目で確認しながら、呼吸の訓練を行う。
【００５８】
シンボルデータ８Ｆ、８Ｇの表示の変化については、上述したように、４拍子の音のリズムを表す円形の図形の大きさが変化する、あるいは形状が別の形状に変化する等の種々の態様を採用することができる。
【００５９】
また、上述したように、前記音楽データの再生に合わせながら呼吸方法をガイドする呼吸方法ガイドメッセージ９を呼吸訓練データ７Ｄが備える構成にすることもできる。
【００６０】
［呼吸訓練データの第五の形態］
図１９〜図２１を参照して呼吸訓練データの第五の形態を説明する。第五形態の呼吸訓練データ７Ｅは一例として一定のリズムを有する音楽データのうち、３小節の音のリズムに沿って息を吐き、１小節の音のリズムに沿って息を吸う訓練、喉頭拳上筋群の筋力強化を目的とした嚥下訓練に使用される。
【００６１】
サーバ装置３から呼吸訓練データ７Ｅがユーザ端末２に送信されると、図１９に示すようなシンボルデータ８Ｈ、８Ｉが、ユーザ端末２が備えるディスプレイに表示される。
【００６２】
シンボルデータ８Ｈは、一定のリズムを有する前記音楽データの１小節に含まれている８拍子の音のリズムを表す長方形の図形が８つと、各小節の８拍子の音のリズムに対応する母音１２ａ（ｉ）、１２ｂ（ｏ）とが組み合わされて構成されており、図１９の上段に示すように、３小節分のシンボルデータ８Ｈがユーザ端末２に表示される。このシンボルデータ８Ｈは、息を吐く場合に使用される呼気シンボルデータであり、３つのシンボルデータ８Ｈはそれぞれ、１〜３小節目に配置される。
【００６３】
シンボルデータ８Ｉは、一定のリズムを有する前記音楽データの１小節に含まれている８拍子の音のリズムを表す長方形の図形が８つ組み合わされて構成されており、図１９の下段に示すように、１小節分のシンボルデータ８Ｉがユーザ端末２に表示される。このシンボルデータ８Ｉは、息を吸う場合に使用される吸気シンボルデータである。なお、８拍子の音のリズムを8分音符８つの４拍子でも表せるため、この形態では４拍子の音のリズムを表す数字を前記長方形の図形に組み合わせている。
【００６４】
ユーザ端末２において、呼吸訓練データ７Ｅに含まれる音楽データを再生すると、当該音楽データの１小節に含まれている音のリズムに沿ってシンボルデータ８Ｈ、８Ｉの表示が以下のように変化する。
【００６５】
（１）図２０に示すように、３小節分のシンボルデータ８Ｈのうち、１小節目のシンボルデータ８Ｈにおいて、８拍子の音のリズムを表す長方形の図形の色が変化する。２、３小節目の各シンボルデータ８Ｈも同様に８拍子の音のリズムを表す長方形の図形の色が変化する。  
前記ユーザは、これらシンボルデータ８Ｈの表示の変化を目で確認しながら母音１２ａ、１２ｂを発音し、喉仏が上下に運動すること、すなわち、喉頭拳上筋群の動きを確認する。
【００６６】
（２）３小節目のシンボルデータ８Ｈの、８拍子の音のリズムを表す長方形の図形の色が変化した後、図２１に示すように、シンボルデータ８Ｉにおいて、８拍子の音のリズムを表す数字が表示された長方形の図形の色が変化する。  
前記ユーザは、これらシンボルデータ８Ｈの表示の変化を目で確認しながら息を吸う。
【００６７】
（３）上記（１）、（２）が繰り返され、前記ユーザは繰り返されるシンボルデータ８Ｈ、８Ｉの表示の変化を目で確認しながら、呼吸訓練及び喉の嚥下訓練を行う。
【００６８】
シンボルデータ８Ｈ、８Ｉの表示の変化については、上述したように、８拍子の音のリズムを表す長方形の図形の大きさが変化する、あるいは形状が別の形状に変化する等の種々の態様を採用することができる。
【００６９】
また、上述したように、前記音楽データの再生に合わせながら呼吸方法をガイドする呼吸方法ガイドメッセージ９を呼吸訓練データ７Ｅが備える構成にすることもできる。
【００７０】
このように、本実施形態の呼吸訓練データ７Ａ〜７Ｅを使用することで、シンボルデータの表示が音のリズムに沿って変化し、これまで呼吸の訓練を指導する指導者が指示し、あるいは秒数などの音でしか表現できなかった「吐く」、「吸う」という呼吸のサイクルを目で確認することができる呼吸訓練システム１となっている。そこで、本実施形態の呼吸訓練システム１は、「呼吸を見える化」したシステムであり、このシステムを利用すれば、誰もが呼吸の質を高める呼吸パターンを理解することができる。また、ユーザが好きな時間、場所で呼吸の訓練を行うことができる。
【００７１】
［呼吸訓練プログラム及び記録媒体の実施形態］
本実施形態の呼吸訓練プログラムは、ユーザ端末２がサーバ装置３からダウンロード可能なコンピュータプログラムである。この呼吸訓練プログラムは、以下の各手段としてユーザ端末２を機能させるコンピュータプログラムである。
【００７２】
（１）前記音楽データと、シンボルデータ８Ａ〜８Ｉと、を備える前記呼吸訓練データを取得するデータ取得手段
（２）前記音楽データを再生する音楽再生手段
（３）シンボルデータ８Ａ〜８Ｉを表示するシンボルデータ表示出力手段
（４）前記音楽データの再生に伴い、前記音楽データのｎ小節に含まれている音のリズムに沿って、シンボルデータ８Ａ〜８Ｉの表示を変化させるシンボルデータ表示制御手段
【００７３】
本実施形態の呼吸訓練プログラムがデータ取得手段としてユーザ端末２を機能させることで、ユーザ端末２は、呼吸訓練データ７Ａ〜７Ｅを取得する。
【００７４】
本実施形態の呼吸訓練プログラムが音楽再生手段としてユーザ端末２を機能させることで上述した呼吸訓練データ７Ａ〜７Ｅが備える前記音楽データが再生される。
【００７５】
本実施形態の呼吸訓練プログラムがシンボルデータ表示出力手段としてユーザ端末２を機能させることで、シンボルデータ８Ａ〜８Ｉが表示される。
【００７６】
本実施形態の呼吸訓練プログラムがシンボルデータ表示制御手段としてユーザ端末２を機能させることで、上述したシンボルデータ８Ａ〜８Ｉの表示が変化する。
【００７７】
また、本実施形態の呼吸訓練プログラムを記録媒体に格納してもよい。例えば、ハードディスク、光ディスク、ＣＤ−ＲＯＭ、ＤＶＤ−ＲＯＭ、不揮発性のメモリカード等を用いることができる。この記録媒体をコンピュータに読み取らせることで、本実施形態の呼吸訓練プログラムを実行することができ、上記各機能が実現される。
【産業上の利用可能性】
【００７８】
本実施形態の呼吸訓練システム１は、健康に関する各種セミナー、トレーニングや、介護施設でのレクリエーション、動画配信による教育プログラム、等に利用される。
【符号の説明】
【００７９】
１  呼吸訓練システム
２  ユーザ端末
３  サーバ装置
４  通信ネットワーク
５  情報送受信手段
６  記憶手段
７Ａ、７Ｂ、・・・、７Ｅ  呼吸訓練データ
８Ａ、８Ｂ、８Ｃ、・・・、８Ｉ  シンボルデータ
９  呼吸方法ガイドメッセージ
１０  歌詞
１１ａ  上五
１１ｂ  中七
１１ｃ  下五
１２ａ、１２ｂ  母音
【図１】
2019181150.tif 000003
【図２】
2019181150.tif 000004
【図３】
2019181150.tif 000005
【図４】
2019181150.tif 000006
【図５】
2019181150.tif 000007
【図６】
2019181150.tif 000008
【図７】
2019181150.tif 000009
【図８】
2019181150.tif 000010
【図９】
2019181150.tif 000011
【図１０】
2019181150.tif 000012
【図１１】
2019181150.tif 000013
【図１２】
2019181150.tif 000014
【図１３】
2019181150.tif 000015
【図１４】
2019181150.tif 000016
【図１５】
2019181150.tif 000017
【図１６】
2019181150.tif 000018
【図１７】
2019181150.tif 000019
【図１８】
2019181150.tif 000020
【図１９】
2019181150.tif 000021
【図２０】
2019181150.tif 000022
【図２１】
2019181150.tif 000023